(57)【要約】本発明は、コップに関し、特に、コップとホルダーとが一体になるので、金型の構造が簡単であって成形が容易であるのはもとより、熱気が下部に排出されるので、長時間使用し続けても熱く或いは冷たくないようにするうえ、積層しやすくしたコップを提供する。本発明のコップ（１０００、２０００、３０００）は、飲料または食べ物を収容することができるように直径が相対的に大きい、上側に開口が形成された収容部を有する合成樹脂コップ部材と、前記コップ部材の開口が形成された反対側から嵌められ、コップ部材に形成された開口の下部の外周面に組み立てられるコップホルダーとを含み、前記コップ部材（１１００、２１００、３１００）の開口側（１１２０、２１２０、３１２０）の外周面に形成されたホルダー上部定着部（１１３０、２１３０、３１３０）に前記コップホルダー（１２００、２２００、３２００）の上側端部が嵌められて組み立てられるとともに、前記コップホルダー（１２００、２２００、３２００）の下側端部は前記コップ部材（１１００、２１００、３１００）の下部外周面の所定の位置に密着しながら、コップホルダー（１２００、２２００、３２００）の上側端部と下側端部を除いた部分は前記コップ部材（１１００、２１００、３１００）の収容部（１１００、２１００、３１００）の外周面から一定の間隔離隔して位置するように構成されたことを特徴とする。【選択図】図１３
2019503717.tif 000002
【特許請求の範囲】
【請求項１】
飲料または食べ物を収容することができるように直径が相対的に大きい、上側に開口が形成された収容部を有する合成樹脂コップ部材と、前記コップ部材の開口が形成された反対側から嵌められて前記コップ部材に組み立てられるとともに、上側端部と下側端部を除いた部分が前記コップ部材の収容部の外周面から一定の間隔離隔している合成樹脂コップホルダーとを含むコップにおいて、
前記コップ部材は、
前記開口の下部に一定の長さだけ階段状に段差が付くとともに、段差付いた下部の直径が減少するだけでなく、外周面には上部に行くほど直径が小さくなる傾斜締結溝を有するホルダー上部定着部と、
前記ホルダー上部定着部の下部に行くほど直径が小さくなるように設けられて飲料または食べ物を収容することができるように収容部を備え、前記ホルダー上部定着部と一体に延長される上部と収容部を構成する下端部とが一定の角度で傾斜している外周面を有するように構成された収容部傾斜面と、
前記収容部をなすコップ部材の外周面が一定の傾斜面を維持した状態で前記コップ部材の開口側から前記収容部の底側に向かって一定の長さだけ下降した位置の前記収容部の内周面に等角度で３つ以上突出成形され、前記コップ部材とコップホルダーとが組み立てられた状態のコップを積層するときに上側のコップをなす前記コップホルダーが前記コップ部材の収容部に嵌められると前記コップホルダーの下部を支持するように構成された挟まれ防止突起部とを含み、
前記コップホルダーは、前記コップの前記ホルダー上部定着部の外周面に形成された前記傾斜締結溝と対応して、前記コップホルダーの内周面の直径が上端部に行くほど小さくなるように構成された傾斜嵌込部が備えられ、前記コップの前記傾斜締結溝に前記コップホルダーの前記傾斜嵌込部が密着するように嵌め込まれ、
前記コップホルダーは、
上部は直径が大きく且つ下部は直径が小さい状態で一定の長さだけ傾斜しているパイプ状からなる把持部と、
前記コップホルダーの前記把持部の下側端部の内側に突出して前記コップ部材の下部に密着するとともに、前記コップの前記収容部の外壁面と前記コップホルダーの前記把持部との間に外部空気が通じるように等角度で空気通路溝が備えられた下部定着突起部とを含んでなることを特徴とする、コップ。
【請求項２】
前記コップ部材の開口は、飲料または食べ物を収容することができるように構成され、上側から前記ホルダー上部定着部側へ一定の長さだけ階段状に段差が付き、段差付いた下部の直径が減少するように形成され、前記コップ部材の開口から前記ホルダー上部定着部へ延長された部分が２段になっていることを特徴とする、請求項１に記載のコップ。
【請求項３】
前記コップの前記収容部傾斜面に沿って一定の長さだけ下降した外周面に、前記コップホルダーの下部に備えられた前記下部定着突起部が密着して定着されるように凹設された、前記コップのコップホルダー下部定着部をさらに含むことを特徴とする、請求項１または２に記載のコップ。
【発明の詳細な説明】
【技術分野】
【０００１】
本発明は、冷たい或いは熱い中身が入った場合でも容易に取ることができるコップに関し、より詳細には、成形が容易であるのはもとより、コップホルダーの上部がコップ部材から広げられずに堅固に組み立てられる。また、熱気が下部に排出されるので、長時間使用し続けても熱く或いは冷たくないように構成したコップに関する。
【背景技術】
【０００２】
一般に、コーヒーやラーメンなどの非常に熱い中身を収容したときに、思わず手に取るときにあまり熱くて手から落としてしまうこともある。逆に、あまり冷たいため、ずっと片手に取っているのが困難であって、ナプキン、段ボールまたは空きコップを二重に被せて使用しており、コストの面やゴミ削減運動にも望ましくなく、資源節約の面でも好ましくなかった。
【０００３】
従来のかかる欠点を解消するために、韓国公開特許第１０−２００１−００７７１７２号公報には、「中身の温度に関係なく手に取りやすいコップと容器」が開示されている。
【０００４】
コップや容器の把持箇所に突出部分を設け、コップや容器中の温度が把持箇所に直接伝導されるのを防ぎ、中身の温度に関係なく容易に手に取ることができ、長時間持っていることができるように構成されたものである。
【０００５】
しかし、このような突出部分はコップ内の外周面に密着固定されており、長時間使用すると熱が伝達されるのはもとより、製造の際に突出部分を製造することが困難であって発売されなくなるという問題点があった。
【先行技術文献】
【特許文献】
【０００６】
【特許文献１】韓国公開特許第１０−２００１−００７７１７２号公報
【発明の概要】
【発明が解決しようとする課題】
【０００７】
本発明は、前述したような諸般問題点を解消するためになされたもので、その目的は、コップとホルダーとが一体になるので、金型の構造が簡単であって成形が容易であるうえ、コップ部材の開口側にコップホルダーを嵌めて冷たい飲料や熱い飲料を飲むときに、コップ部材に入った飲料の冷気または熱気をユーザーが感じないように構成されたコップを提供することにある。
【０００８】
本発明の他の目的は、ホルダー上部定着部にコップホルダーの上部が嵌められるとともに、コップホルダー下部定着部にコップホルダーの下部が定着されるように嵌められて組み立てられるので、コップホルダーがコップ部材の上部に堅固に嵌められるように構成されたコップを提供することにある。
【０００９】
本発明の別の目的は、収容部が上部直径は大きく下部直径は小さい状態で傾斜しているが、ホルダー上部定着部と垂直内壁部が垂直状態で形成され、コップ部材にコップホルダーを嵌めて組み立てるときにコップホルダーの上部が広げられずに堅固に組み立てられるように構成されたコップを提供することにある。
【００１０】
本発明の別の目的は、コップホルダーの下部定着突起部にはコップ部材の収容部の外壁面とコップホルダーの把持部との間に外部空気が通じるように形成された空気通路溝によって収容部の外周面へ伝達される冷気または熱気がコップ部材とコップホルダーの下部空間へ排出されるので、ユーザーがずっとコップを手に取っている場合でも、冷気と熱気がコップホルダーへ伝達される時間を延長することで、飲料を飲むのが容易となるように構成されたコップを提供することにある。
【００１１】
本発明の別の目的は、ホルダー上部定着部の外周面に、上部に行くほど直径が小さくなるように傾斜締結溝が形成されるのはもとより、傾斜締結溝と対応して、内周面の直径が上端部に行くほど小さくなるように構成された傾斜嵌込部が備えられたコップホルダーの上部が嵌められるとともに、コップ部材の下部にコップホルダーの下部が等角度で支持されるように組み立てられるので、コップ部材の上部にコップホルダーが組み立てられると、コップ部材からコップホルダーが容易に離脱しないため使用が容易であり、コップ部材の収容部に熱い飲料をそのまま直ちに受け取った場合に、コップホルダーの両端部から離れた把持部がコップ部材の収容部と直接密着しないため熱が非常に遅く伝達されるので、コップを把持して、非常に熱い或いは冷たい飲料を飲むのが容易であるのはもとより、コップの下部成形が容易であるコップを提供することにある。
【００１２】
本発明の別の目的は、挟まれ防止突起部がコップ部材の内周面の所定の位置に等角度で突出成形され、コップ部材の成形の際にコップ部材の外周面は一定の傾斜面を維持した状態で内周面に沿って３６０度にわたって突出成形されるのと比較して、収容部の内周面の所定の位置に等角度で挟まれ防止突起部を突出成形するための材料の消費が少なくて製造コストが低くなるのはもとより、成形の際に収縮が発生しないため製品の成形が優秀になるコップを提供することにある。
【００１３】
本発明の別の目的は、コップホルダー下部定着部が、コップ部材における厚さの変化が殆どないように成形され、コップ部材の成形の際に収縮が発生しないなど、製品の生産が非常に容易となるコップを提供することにある。
【課題を解決するための手段】
【００１４】
上記の目的を達成するための本発明に係るコップは、飲料または食べ物を収容することができるように直径が相対的に大きい、上側に開口が形成された収容部を備えた合成樹脂コップ部材と、前記コップ部材の開口が形成された反対側から嵌められ、コップ部材に形成された開口の下部の外周面に組み立てられるコップホルダーとを含み、前記コップ部材の開口側に形成されたホルダー上部定着部の外周面に前記コップホルダーの上側端部が嵌められて組み立てられるとともに、前記コップホルダーの下側端部は前記コップ部材の下部外周面の所定の位置に密着しながら、コップホルダーの上側端部と下側端部を除いた部分は前記コップ部材の収容部の外周面から一定の間隔離隔して位置するように構成されたことを特徴とする。
【００１５】
ここで、前記コップ部材に形成されたホルダー上部定着部の外周面には、上部に行くほど直径が小さくなるように傾斜締結溝が形成され、前記コップホルダーの上部には、前記傾斜締結溝と対応して、内周面の直径が上側端部に行くほど小さくなるように構成された傾斜嵌込部が備えられたことを特徴とする。
【００１６】
前記コップ部材は、前記開口の下部に設けられ、一定の長さからなるホルダー上部定着部と、前記ホルダー上部定着部の下部に設けられ、傾斜した状態で階段状に段差付いて直径が減少して収容部を形成する収容部傾斜面とを備え、前記コップホルダーは、上部は直径が大きく下部は直径が小さい状態で傾斜した一定の長さのパイプ状把持部と、前記把持部の下側端部の内側に突出して前記コップ部材の下部に密着する下部定着突起部とを備えたことを特徴とする。
【００１７】
また、前記下部定着突起部には、前記収容部の外壁面とコップホルダーの把持部との間に外部空気が通じるように複数の空気通路溝がさらに備えられたことを特徴とする。
【００１８】
また、前記収容部傾斜面に沿って一定の長さだけ下降して内周面に突出し、前記コップホルダーが収容部に嵌められるとコップホルダーの下部を支持するように構成された挟まれ防止突起部をさらに含むことを特徴とする。
【００１９】
また、前記収容部傾斜面に沿って一定の長さだけ下降した外周面に、前記コップホルダーの下部が密着して定着されるように凹設されたコップホルダー下部定着部をさらに含むことを特徴とする。
【発明の効果】
【００２０】
上述したように、本発明に係るコップによれば、コップとホルダーとが一体になりながら、金型の構造が簡単であって成形が容易であるのはもとより、コップ部材の開口側にコップホルダーを嵌めることで、冷たい飲料や熱い飲料を飲むときにコップ部材内の飲料の冷気または熱気をユーザーが感じないようにするという効果がある。
【００２１】
本発明に係るコップによれば、ホルダー上部定着部にコップホルダーの上部が嵌められるとともに、コップホルダー下部定着部にコップホルダーの下部が嵌められて組み立てられるので、コップ部材の収容部に熱い飲料をそのまま直ちに受け取った場合に、コップホルダーの両端部から離れた把持部はコップ部材の収容部に直接密着しないため熱が非常に遅く伝達されるので、コップを把持して非常に熱い或いは冷たい飲料を飲むのが容易になるという効果がある。
【００２２】
本発明に係るコップによれば、収容部が上部直径は大きく且つ下部直径は小さい状態で傾斜しているが、ホルダー上部定着部と垂直内壁部が垂直状態で形成され、コップ部材にコップホルダーを嵌めて組み立てるときに、コップホルダーの上部が広げられずに堅固に組み立てられるという効果がある。
【００２３】
本発明に係るコップによれば、コップホルダーの下部定着突起部に、コップ部材の収容部の外壁面とコップホルダーの把持部との間に外部空気が通じるように形成された空気通路溝によって、収容部の外周面へ伝達される冷気または熱気がコップ部材とコップホルダーの下部空間へ排出されるので、ユーザーがコップをずっと手に取っている場合でも、冷気と熱気がコップホルダーへ伝達される時間を延長して飲料を飲むのが容易になるという効果がある。
【００２４】
本発明に係るコップによれば、ホルダー上部定着部の外周面に、上部に行くほど直径が小さくなるように傾斜締結溝が形成されるのはもとより、傾斜締結溝と対応して、内周面の直径が上端部に行くほど小さくなるように構成された傾斜嵌込部が備えられたコップホルダーの上部が嵌められるとともに、コップ部材の下部にコップホルダーの下部が等角度で支持されるように組立されるので、コップ部材の上部にコップホルダーが組み立てられるとコップ部材からコップホルダーが容易に離脱しないため使用が便利であり、コップ部材の収容部に熱い飲料をそのまま直ちに受け取った場合に、コップホルダーの両端部から離れた把持部がコップ部材の収容部と直接密着しないため熱が非常に遅く伝達されるので、コップを把持して非常に熱い或いは冷たい飲料を飲むのが容易であるのはもとより、コップの下部成形が容易になるという効果がある。
【００２５】
本発明に係るコップによれば、挟まれ防止突起部がコップ部材の内周面の所定の位置に等角度で突出成形され、コップ部材の成形の際にコップ部材の外周面が一定の傾斜面を維持した状態で内周面に沿って３６０度にわたって突出成形されるのと比較して、収容部の内周面の所定の位置に等角度で挟まれ防止突起部を突出成形するための材料の消費が少なくて製造コストが低くなるのはもとより、成形の際に収縮が発生しないため製品の成形が優秀になるという効果がある。
【００２６】
本発明に係るコップによれば、コップホルダー下部定着部が、コップ部材における厚さの変化が殆どないように成形され、コップ部材の成形の際に収縮が発生しないなど、製品の生産が非常に容易となるという効果がある。
【図面の簡単な説明】
【００２７】
【図１】本発明の第１実施形態に係るコップの斜視図である。
【図２】図１の正面図である。
【図３】図２のＡ−Ａ線に沿った断面図である。
【図４】図１の底面図である。
【図５】図１の分解斜視図である。
【図６】図５の縦断面図である。
【図７】図１のコップが積層される状態を説明する縦断面図である。
【図８】本発明の第２実施形態に係るコップの斜視図である。
【図９】図８の正面図である。
【図１０】図９のＢ−Ｂ線に沿った断面図である。
【図１１】本発明の第３実施形態に係るコップの斜視図である。
【図１２】図１１の正面図である。
【図１３】図１２のＣ−Ｃ線に沿った断面図である。
【発明を実施するための形態】
【００２８】
以下、添付図面を参照して本発明の実施形態に係るコップを詳細に説明する。
【００２９】
前記図面の構成要素に引用符号を付加するにあたり、同一の構成要素に限っては、たとえ他の図面上に表示されても、できる限り同一の符号を持つようにした。本発明の要旨を不明確にするおそれがあると判断される公知の機能及び構成についての詳細な説明は省略する。また、「上部」、「下部」、「前」、「後ろ」、「先端」、「前方」、「後端」などの方向性用語は、開示された図面の配向と関連して使用される。
【００３０】
本発明の実施形態の構成要素は様々な配向にて位置設定できるため、方向性用語は例示を目的として使用されるもので、これを制限するものではない。
【００３１】
本発明の第１実施形態に係るコップ１０００は、図１乃至図７に示されているように、飲料または食べ物を収容することができるように直径が相対的に大きい、上側に開口１１２０が形成された収容部を有する合成樹脂コップ部材１１００を含んでなる。
【００３２】
また、コップホルダー１２００は、前記コップ部材１１００の開口１１２０が形成された反対側から嵌められ、コップ部材１１００に形成された開口１１２０の下部の外周面にコップホルダー１２００の上側端部が嵌められるとともに、下側端部はコップ部材１１００の外周面の所定の位置に定着される一方、前記コップホルダー１２００の両側端部を除いた部分は前記コップ部材の外周面と一定の間隔離隔して位置する。
【００３３】
したがって、前記コップ１０００は、コップ部材１１００とコップホルダー１２００をそれぞれ簡単な金型の構造による射出成形で製造する。その後、前記コップ部材１１００の下部から上部へ、すなわち、前記コップ部材１１００の直径の小さい下部側からコップホルダー１２００を嵌めて、直径の大きい開口１１２０側に押し上げてコップ部材１１００の開口１１２０側の外周面に嵌める。
【００３４】
前記コップホルダー１２００の把持部分がコップ部材１１００と離隔しており、冷たい飲料または熱い飲料を飲むときにコップ部材１１００内の飲料の冷気または熱気がコップホルダー１２００によって手に伝達されることを遅延させる。
【００３５】
ここで、本発明の第１実施形態に係る要旨の構成についてより詳細に説明する。前記コップ１０００を構成するコップ部材１１００は、飲料または食べ物を収容することができるように直径の相対的に大きい、上側に開口１１２０が形成された収容部を有する。
【００３６】
前記コップ部材は、前記開口１１２０の下部に設けられ、一定の長さ垂直状態で階段状に段差付いて直径が減少したホルダー上部定着部１１３０と、前記ホルダー上部定着部１１３０の下部に設けられ、傾斜した状態で段差付いて直径が減少して収容部１１００を形成する収容部傾斜面１１４０とを含む。さらに、前記コップ部材は、前記収容部傾斜面１１４０に沿って一定の長さだけ下降して一定の長さだけ階段状に段差付いて突出し、図７に示されているように、コップ部材とコップホルダーとが組み立てられた状態で積層するとき、上部に積層される別のコップ部材１１００及び嵌められたコップホルダー１２００の下部を支持するように内周面に３６０度突出成形された挟まれ防止突起部１１５０を含む。
【００３７】
さらに、前記コップ部材は、前記挟まれ防止突起部１１５０から収容部傾斜面１１４０に沿って一定の長さだけ下降した外周面に、前記コップホルダー１２００の下部が定着されるように凹設されたコップホルダー下部定着部１１６０を含む。
【００３８】
したがって、前記収容部１１１０の下部外周面にコップホルダー１２００を嵌めて上部に組み立てると、前記ホルダー上部定着部１１３０にコップホルダー１２００の上部が嵌められるとともに、前記コップホルダー下部定着部１１６０にコップホルダー１２００の下部が嵌められて組み立てられる。
【００３９】
これにより、前記コップ部材１１００の収容部１１１０に熱い飲料を受け取った場合に、前記コップホルダー１２００の両端部から離れた把持部は、コップ部材１１００の収容部１１１０と直接密着しないため熱が非常に遅く伝達されるので、コップ１０００を把持して非常に熱い或いは冷たい飲料を飲むのが容易になる。
【００４０】
前記コップホルダー１２００は、上部は直径が大きく且つ下部は直径が小さい状態で傾斜している一定の長さのパイプ状把持部１２１０と、前記把持部１２１０の下側端部の内側に突出して前記コップ部材１１００のコップホルダー下部定着部１１６０に定着される下部定着突起部１２２０とから構成する。
【００４１】
前記コップホルダー１２００の前記把持部１２１０の上側端部の内周面に、前記コップ部材の前記ホルダー上部定着部１１３０の外周面に嵌められて組み立てられるように構成された垂直内壁部１２３０を含む。
【００４２】
したがって、前記コップホルダー１２００の下部定着突起部１２２０と垂直内壁部１２３０がコップ部材１１００のコップホルダー下部定着部１１６０とホルダー上部定着部１１３０に定着され、前記コップホルダー１２００がコップ部材１１００に一体に組み立てられる。
【００４３】
これにより、前記コップ部材１１００の収容部にコップホルダー１２００の把持部１２１０が直接接触しないため、収容部１１１０に熱い飲料を受け取った直後にもユーザーがコップ１０００を把持することが可能となる。
【００４４】
こうすると、前記コップ１０００がコップ部材１１００とコップホルダー１２００とを一体化して構成されるので、ユーザーが非常に使用しやすくなる。
【００４５】
このとき、前記コップの収容部が上部直径は大きく且つ下部直径は小さい状態で傾斜しているが、コップの前記ホルダー上部定着部１１３０とコップホルダーの垂直内壁部１２３０とが垂直状態で形成され、前記コップ部材１１００にコップホルダー１２００を嵌めて組み立てるときに、コップホルダー１２００の上部が広げられずに堅固に組み立てられる。
【００４６】
また、前記コップホルダー１２００の下部定着突起部１２２０には、前記コップ部材１１００の収容部の外壁面とコップホルダー１２００の把持部１２１０との間に外部空気が通じるように空気通路溝１２４０がさらに備えられるのが好ましい。
【００４７】
したがって、前記空気通路溝１２４０によって、コップ部材１１００に収容された飲料に沿って収容部１１１０の外周面へ伝達される冷気または熱気がコップ部材１１００とコップホルダー１２００の下部空間に排出されるので、ユーザーがコップ１０００をずっと手に取っている場合でも、冷気と熱気がコップホルダー１２００へ伝達される時間を延長して飲料を飲むのが容易になる。
【００４８】
一方、コップ部材の前記コップホルダー下部定着部１１６０とコップホルダーの下部定着突起部１２２０は、本実施形態では半円形状をしているが、三角または四角形状などの様々な形状をしてもよい。
【００４９】
前記コップ部材１１００とコップホルダー１２００の外周面には、印刷面が形成されたフィルムシートが射出成形の際に融着されることができる。
【００５０】
本発明の第２実施形態に係るコップ２０００は、図８乃至図１０に示されているとおりである。
【００５１】
飲料または食べ物を収容することができるように直径が相対的に大きい、上側に開口２１２０が形成された収容部２１１０を有する合成樹脂コップ部材２１００を含んでなる。
【００５２】
コップホルダー２２００は、前記コップ部材２１００の開口２１２０が形成された反対側から嵌められ、コップ部材２１００に形成された開口２１２０の下部外周面にコップホルダー２２００の上側端部が嵌められるとともに、コップホルダー２２００の下側端部はコップ部材２１００の外周面の所定の位置に定着される一方、コップホルダーの両側端部を除いた部分は前記コップ部材の外周面と一定の間隔離隔して位置するように構成される。
【００５３】
本発明の第２実施形態に係る要旨をより詳細に説明すると、前記コップ部材２１００に形成された開口２１２０の外周面であって、コップホルダー２２００の上側が嵌められるように構成されたホルダー上部定着部２１３０は、上部に行くほど直径が小さくなるように形成された傾斜締結溝２１３１を有する。
【００５４】
一方、前記コップホルダー２２００の上部には、前記傾斜締結溝２１３１と対応して、内周面の直径が上側端部に行くほど小さくなるように構成された傾斜嵌込部２２４０が備えられる。
【００５５】
したがって、前記傾斜締結溝２１３１が形成されたコップ部材２１００に、傾斜嵌込部２２４０を有するコップホルダー２２００を嵌めると、前記傾斜嵌込部２２４０が傾斜締結溝２１３１に定着されて組み立てられる。
【００５６】
組立後には、前記コップ部材２１００からコップホルダー２２００が容易に離脱しないため、使用が容易になる。
【００５７】
ここで、前記コップ部材２１００に備えられた挟まれ防止突起部２１５０が、図８及び図１０に示されているように、コップ部材２１００の内周面の所定の位置に１２０度の等角度で突出成形される。
【００５８】
よって、前記挟まれ防止突起部２１５０が１２０度の等角度で突出成形される。
【００５９】
図８及び図１０の実施形態を図３に示されたのと比較すると、材料の損失が少なくなる。
【００６０】
図３の実施形態は、コップ部材の成形の際に、外周面が一定の傾斜面を維持した状態で内周面に沿って３６０度にわたって突出成形されるのと比較すると、材料の損失が多くなる。
【００６１】
図８及び図１０の実施形態は、収容部の内周面の所定の位置に等角度で挟まれ防止突起部を突出成形するための材料の消費が少ないため、製造コストが低くなるのはもとより、成形の際に収縮が発生しないため、製品の成形が容易であって製品の品質が優秀になる。
【００６２】
第２実施形態では、前記コップ部材２１００の下部に、コップホルダー２２００の下部を支持するように形成された前記コップホルダー下部定着部２１６０が、コップ部材における厚さの変化が殆どないように非常に浅く成形されてもよく、或いは成形されなくてもよい。
【００６３】
したがって、前記コップ部材２１００の前記コップホルダー下部定着部２１６０がコップ部材における厚さの変化が殆どないように非常に浅く成形されると、コップホルダー２２００の下部も堅固に前記コップ部材のコップホルダー下部定着部２１６０に定着されながらも、コップ部材の成形の際に収縮が発生しないなど、製品の生産が非常に容易になる。
【００６４】
一方、前記コップホルダー下部定着部２１６０がコップ部材２１００に形成されていない場合でも、コップホルダー２２００の下部がコップ部材２１００の外周面に支持されると、前記傾斜締結溝２１３１を有するコップ部材２１００と、傾斜嵌込部２２４０を有するコップホルダー２２００とが堅固に組み立てられて使用に無理がない。
【００６５】
もちろん、コップ部材の成形の際に収縮が発生しないなど、製品の生産が非常に容易になる。
【００６６】
また、前記コップホルダー２２００は、第１実施形態と同様に、上部は直径が大きく且つ下部は直径が小さい状態で傾斜している一定の長さのパイプ状把持部２２１０と、前記把持部２２１０の下側端部の内側に突出して前記コップ部材２１００のコップホルダー下部定着部２１６０に定着されるか或いはコップ部材の外周面に定着される下部定着突起部２２２０とを含む。
【００６７】
したがって、前記傾斜締結溝２１３１を有するコップ部材２１００に、傾斜嵌込部２２４０を有するコップホルダー２２００が嵌められた状態で、コップ部材２１００のコップホルダー下部定着部２１６０にコップホルダー２２００の下部定着突起部２２２０が定着されると、コップ部材にコップホルダーが堅固に定着される。
【００６８】
もちろん、前記コップ部材２１００にコップホルダー下部定着部２１６０がない場合でも、下部定着突起部２２２０がコップ部材２１００の外周面に密着して、コップホルダー２２００の両端がコップ部材２１００の外周面から一定の間隔を置いて堅固に支持される。
【００６９】
一方、第２実施形態においても、前記コップホルダー２２００の下部定着突起部２２２０には、第１実施形態と同様に、前記コップ部材２１００の収容部２１１０の外壁面とコップホルダー２２００の把持部２２１０との間に外部空気が通じるように等角度で空気通路溝２２３０がさらに備えられることが好ましい。
【００７０】
したがって、前記空気通路溝２２３０によって、コップ部材２１００に収容された飲料に沿って収容部２１１０の外周面へ伝達される冷気または熱気がコップ部材２１００とコップホルダー２２００の下部空間に排出される。
【００７１】
これにより、ユーザーがコップ２０００をずっと手に取っている場合でも、冷気と熱気がコップホルダー２２００へ伝達される時間を延長して飲料を飲むのが容易になる。
【００７２】
図１１乃至図１３は本発明の第３実施形態に係るコップ３０００を説明するものである。
【００７３】
前記コップ部材３１００に形成された開口３１２０の外周面であり且つコップホルダー３２００の上側が嵌められるように構成されたホルダー上部定着部３１３０には、上部に行くほど直径が小さくなるように傾斜締結溝３１３１が形成される。
【００７４】
一方、前記コップホルダー３２００の上部には、前記傾斜締結溝３１３１と対応して、内周面の直径が上側端部に行くほど小さくなるように構成された傾斜嵌込部３２４０が備えられる。
【００７５】
一方、前記ホルダー上部定着部３１３０は、傾斜締結溝３１３１から垂直に上がって開口３１２０が形成される。
【００７６】
したがって、前記傾斜締結溝３１３１を有するコップ部材３１００に、傾斜嵌込部３２４０を有するコップホルダー３２００を嵌めると、前記傾斜嵌込部３２４０が傾斜締結溝３１３１に定着されて組み立てられる。
【００７７】
このように組み立てられると、前記コップ部材３１００からコップホルダー３２００が容易に離脱しないため使用が容易になる。
【００７８】
一方、前記コップ部材３１００のホルダー上部定着部３１３０は、開口３１２０が傾斜締結溝３１３１から垂直に延びて形成されるので、開口３１２０の直径を大きくなく調整することができる。
【００７９】
ここで、前記コップ部材３１００に備えられた挟まれ防止突起部３１５０は、コップ部材の外周面に一定の傾斜面を維持した状態でコップ部材３１００の内周面の所定の位置に１２０度の等角度で突出成形される。前記挟まれ防止突起部３１５０は、一箇所または二箇所または四箇所以上形成されても可能である。
【００８０】
したがって、前記挟まれ防止突起部３１５０が１２０度の等角度で突出成形されるので、前記コップ部材３１００の成形の際にコップ部材の外周面が一定の傾斜面を維持した状態で内周面に沿って３６０度にわたって突出成形される場合と比較して、収容部の内周面の所定の位置に等角度で挟まれ防止突起部を突出成形するための材料の消費が少ないため製造コストが低くなるのはもとより、成形の際に収縮が発生しないため製品の成形が容易であって製品の品質が優秀になる。
【００８１】
第３実施形態では、前記コップ部材３１００の下部に、コップホルダー３２００の下部を支持するように形成された前記コップホルダー下部定着部３１６０がコップ部材における厚さの変化が殆どないように非常に少なく成形されてもよく、或いは成形されなくてもよい。
【００８２】
したがって、前記コップホルダー下部定着部３１６０がコップ部材における厚さの変化が殆どないように非常に少なく成形されると、コップホルダー３２００の下部も堅固にコップホルダー下部定着部３１６０に定着されながらも、コップ部材の成形の際に収縮が発生しないなど、製品の生産が非常に容易になる一方、前記コップホルダー下部定着部３１６０がコップ部材３１００に形成されていない場合でも、コップホルダー３２００の下部がコップ部材３１００の外周面に支持されると、前記傾斜締結溝３１３１を有するコップ部材３１００と傾斜嵌込部３２４０を有するコップホルダー３２００とが堅固に組み立てられて使用に無理がないのはもとより、コップ部材の成形の際に収縮が発生しないなど、製品の生産が非常に容易になる。
【００８３】
また、前記コップホルダー３２００は、上部は直径が大きく且つ下部は直径が小さい状態で傾斜している一定の長さのパイプ状把持部３２１０と、前記把持部３２１０の下側端部の内側へ突出して前記コップ部材３１００のコップホルダー下部定着部３１６０に定着されるか或いはコップ部材の外周面に定着される下部定着突起部３２２０とを含む。
【００８４】
したがって、前記傾斜締結溝３１３１を有するコップ部材３１００に、傾斜嵌込部３２４０を有するコップホルダー３２００が嵌められた状態で、コップ部材３１００のコップホルダー下部定着部３１６０に下部定着突起部３２２０が定着されると、コップ部材にコップホルダーが堅固に定着されるのはもとより、前記コップ部材３１００にコップホルダー下部定着部３１６０がない場合でも、下部定着突起部３２２０がコップ部材３１００の外周面に密着してコップホルダー３２００の両端がコップ部材３１００の外周面から一定の間隔を置いて堅固に支持される。
【００８５】
一方、第３実施形態においても、第１及び第２実施形態と同様に、前記コップホルダー３２００の下部定着突起部３２２０には、前記コップ部材３１００の収容部傾斜面３１４０を有する収容部３１１０の外壁面とコップホルダー３２００の把持部３２１０との間に外部空気が通じるように等角度で空気通路溝３２３０がさらに備えられる。
【００８６】
したがって、前記空気通路溝３２３０によって、コップ部材３１００に収容された飲料に沿って収容部３１１０の外周面へ伝達される冷気または熱気がコップ部材３１００とコップホルダー３２００の下部空間へ排出されるので、ユーザーがコップ３０００をずっと手に取っている場合でも、冷気と熱気がコップホルダー３２００へ伝達される時間を延長して飲料を飲むのが容易になる。
【００８７】
図示及び説明された本発明の実施形態は、本発明の技術的思想を限定するものと解釈されてはならない。本発明の保護範囲は請求の範囲に記載された事項によってのみ制限され、本発明の技術分野における通常の知識を有する者は本発明の技術的思想を様々な形態に改良変更するのが可能である。よって、それらの改良及び変更も、当該分野における通常の知識を有する者にとって自明である場合には本発明の保護範囲に属するといえる。
【符号の説明】
【００８８】
１０００、２０００、３０００    コップ
１１００、２１００、３１００    コップ部材
１１１０、２１１０、３１１０    収容部
１１２０、２１２０、３１２０    開口
１１３０、２１３０、３１３０    ホルダー上部定着部
２１３１、３１３１    傾斜締結溝
１１４０、２１４０、３１４０    収容部傾斜面
１１５０、２１５０、３１５０    挟まれ防止突起部
１１６０、２１６０、３１６０    コップホルダー下部定着部
１２００、２２００、３２００    コップホルダー
１２１０、２２１０、３２１０    把持部
１２２０、２２２０、３２２０    下部定着突起部
１２３０    垂直内壁部
１２４０、２２３０、３２３０    空気通路溝
２２４０、３２４０    傾斜嵌込部
【図１】
2019503717.tif 000003
【図２】
2019503717.tif 000004
【図３】
2019503717.tif 000005
【図４】
2019503717.tif 000006
【図５】
2019503717.tif 000007
【図６】
2019503717.tif 000008
【図７】
2019503717.tif 000009
【図８】
2019503717.tif 000010
【図９】
2019503717.tif 000011
【図１０】
2019503717.tif 000012
【図１１】
2019503717.tif 000013
【図１２】
2019503717.tif 000014
【図１３】
2019503717.tif 000015
【国際調査報告】
2019503717.tif 000016
2019503717.tif 000017
2019503717.tif 000018
2019503717.tif 000019